(57)【要約】【課題】  ユーザがアプリケーションソフトやプリンタドライバで特別な処理をすることなく、様々な画像イメージに対して最適な色処理により出力することができる印刷システムを提供することを目的とする。【解決手段】  所定の通信プロトコルに従ってネットワーク通信を行うネットワークに接続された、プロファイル生成要求を行うクライアントコンピュータとクライアントコンピュータからの要求に従いプロファイル生成するサーバとクライアントコンピュータから送信される印刷データを印刷する印刷装置から構成される。【選択図】        図１
2005135073.tif 000002
【特許請求の範囲】
【請求項１】
所定の通信プロトコルに従ってネットワーク通信を行うネットワークに接続された、各種サービスを提供するサーバコンピュータと前記サーバコンピュータにサービスを要求するクライアントコンピュータと前記クライアントコンピュータから送信される印刷データを印刷する印刷装置から構成される印刷システムにおいて、
前記クライアントコンピュータは、プロファイル生成要求コマンドを生成するコマンド生成手段とプロファイル生成要求コマンドと印刷データを前記サーバコンピュータに送信するプロファイル生成要求手段とプロファイルデータとともに印刷データを印刷装置に送信する印刷データ送信手段を備え、
前記サーバコンピュータは、前記クライアントコンピュータから送信された印刷データとプロファイル生成要求を受信すると、プロファイルを生成するプロファイル生成手段と、プロファイル生成手段により生成されたプロファイルを前記プロファイル生成要求をしたクライアントコンピュータに送信する送信手段を備え、
前記印刷装置において、前記クライアントコンピュータから送信されたプロファイルデータと印刷データを受信し、プロファイルデータに従って画像データの色処理を行うプロファイル色処理手段と、色処理されたデータをプリンタエンジンに出力する出力手段を備えることを特徴とする印刷システム。
【請求項２】
前記コマンド生成手段は、ユーザがドライバなどのＵＩを用いて印刷画質を選択する選択手段と、選択された印刷画質に応じてコマンド生成するかどうかを判断し、必要と判断したときのみコマンド生成することを特徴とする請求項１記載の印刷システム。
【請求項３】
前記プロファイル生成手段は、受信した印刷データを解析し画像データを含んでいると判断した場合に、画像データを解析する画像解析手段により適切なプロファイルを生成することを特徴とする請求項１記載の印刷システム。
【請求項４】
所定の通信プロトコルに従ってネットワーク通信を行うネットワークに接続された、各種サービスを提供するサーバコンピュータと前記サーバコンピュータにサービスを要求するクライアントコンピュータと前記クライアントコンピュータから送信される印刷データを印刷する印刷装置から構成される印刷システムにおいて、
前記クライアントコンピュータは、プロファイル生成要求コマンドを生成するコマンド生成手段とプロファイル生成要求コマンドと印刷データを前記サーバコンピュータに送信するプロファイル生成要求手段と、印刷データを印刷装置に送信する印刷データ送信手段を備え、
前記サーバコンピュータは、前記クライアントコンピュータから送信された印刷データとプロファイル生成要求を受信すると、プロファイルを生成するプロファイル生成手段と、プロファイル生成手段により生成されたプロファイルを受信した印刷データに添付し、前記プロファイル生成要求をしたクライアントコンピュータに送信する送信手段を備え、
前記印刷装置において、前記クライアントコンピュータから送信された印刷データを受信し、プロファイルデータに従って画像データの色処理を行うプロファイル色処理手段と、色処理されたデータをプリンタエンジンに出力する出力手段を備えることを特徴とする印刷システム。
【請求項５】
前記コマンド生成手段は、ユーザがドライバなどのＵＩを用いて印刷画質を選択する選択手段と、選択された印刷画質に応じてコマンド生成するかどうかを判断し、必要と判断したときのみコマンド生成することを特徴とする請求項４記載の印刷システム。
【請求項６】
前記プロファイル生成手段は、受信した印刷データを解析し画像データを含んでいると判断した場合に、画像データを解析する画像解析手段によりそれぞれの画像データ毎に適切なプロファイルを生成することを特徴とする請求項４記載の印刷システム。
【発明の詳細な説明】
【技術分野】
【０００１】
本発明は、印刷システムに関し、特にクライアントコンピュータからの要求に従ってプロファイルデータを生成するサーバとプロファイルを用いて印刷する印刷システムに関する。
【背景技術】
【０００２】
従来の印刷システムにおいては、ユーザがアプリケーションで作成した文書や画像入力装置で取り込んだ画像データなどを出力する場合、ドライバや印刷装置において出力する各データに対し文字、グラフィックス、イメージなどのオブジェクトの種類に分類し、それぞれのオブジェクトに適した色処理により色変換後、出力している。また、これらの色処理はユーザによりそれぞれ変更することができ、ユーザが好む色処理を選択することが可能となっている。
【０００３】
また、従来の技術における最適な色処理により出力する場合、ユーザがアプリケーション、あるいはドライバ上で色の微調整をし、最適な色になるまで印刷設定と印刷を繰り返し行っていた。これらの問題を解決するためドライバにおいて、ドライバ上で、色味や明るさなどを少しずつ変化させた複数種類の処理結果をそれぞれを縮小して一枚に出力し、その出力結果を見て、ユーザが最適な色設定を選択することができるドライバもある。
【０００４】
さらに、画像入力装置において画像データに入力時情報を添付した画像フォーマットがあり、これらの画像データは添付の入力時情報に従って補正を行い、最適な色設定により出力が可能となっている。
【特許文献１】特開平１１−２８４８７３号公報
【発明の開示】
【発明が解決しようとする課題】
【０００５】
しかしながら、これらの方法においてはユーザの操作負担が多く、ある程度、色処理の知識がないと最適な出力を得ることはできない。また、入力時情報添付の画像フォーマットは様々あり、また、これらの画像フォーマットは更新されるため、常にプリンタドライバやアプリケーションソフトのバージョンアップをしない限り、必ずしも最適な色補正をすることができないといった問題があった。
【０００６】
本発明は、以上の点に着目してなされたもので、クライアントコンピュータにおいてユーザがアプリケーションソフトやプリンタドライバで特別な処理をすることなく、ＵＩで選択すると画像データに適したプロファイルを生成することができるようになり、ユーザの負担を軽減することができる印刷システムを提供することを目的とする。
【課題を解決するための手段】
【０００７】
上記目的を達成するために、請求項１に係る印刷システムにあっては、所定の通信プロトコルに従ってネットワーク通信を行うネットワークに接続された、各種サービスを提供するサーバコンピュータと前記サーバコンピュータにサービスを要求するクライアントコンピュータと前記クライアントコンピュータから送信される印刷データを印刷する印刷装置から構成される印刷システムにおいて、
前記クライアントコンピュータは、プロファイル生成要求コマンドを生成するコマンド生成手段とプロファイル生成要求コマンドと印刷データを前記サーバコンピュータに送信するプロファイル生成要求手段とプロファイルデータとともに印刷データを印刷装置に送信する印刷データ送信手段を備え、
前記サーバコンピュータは、前記クライアントコンピュータから送信された印刷データとプロファイル生成要求を受信すると、プロファイルを生成するプロファイル生成手段と、プロファイル生成手段により生成されたプロファイルを前記プロファイル生成要求をしたクライアントコンピュータに送信する送信手段を備え、
前記印刷装置において、前記クライアントコンピュータから送信されたプロファイルデータと印刷データを受信し、プロファイルデータに従って画像データの色処理を行うプロファイル色処理手段と、色処理されたデータをプリンタエンジンに出力する出力手段を備えたものである。
【０００８】
また、請求項２に係る印刷システムにあっては、前記コマンド生成手段は、ユーザがドライバなどのＵＩを用いて印刷画質を選択する選択手段と、選択された印刷画質に応じてコマンド生成するかどうかを判断し、必要と判断したときのみコマンド生成する手段を備えたものである。
【０００９】
また、請求項３に係る印刷システムにあっては、前記プロファイル生成手段は、受信した印刷データを解析し画像データを含んでいると判断した場合に、画像データを解析する画像解析手段により適切なプロファイルを生成する手段を備えたものである。
【００１０】
また、請求項４に係る印刷システムにあっては、所定の通信プロトコルに従ってネットワーク通信を行うネットワークに接続された、各種サービスを提供するサーバコンピュータと前記サーバコンピュータにサービスを要求するクライアントコンピュータと前記クライアントコンピュータから送信される印刷データを印刷する印刷装置から構成される印刷システムにおいて、
前記クライアントコンピュータは、プロファイル生成要求コマンドを生成するコマンド生成手段とプロファイル生成要求コマンドと印刷データを前記サーバコンピュータに送信するプロファイル生成要求手段と、印刷データを印刷装置に送信する印刷データ送信手段を備え、
前記サーバコンピュータは、前記クライアントコンピュータから送信された印刷データとプロファイル生成要求を受信すると、プロファイルを生成するプロファイル生成手段と、プロファイル生成手段により生成されたプロファイルを受信した印刷データに添付し、前記プロファイル生成要求をしたクライアントコンピュータに送信する送信手段を備え、
前記印刷装置において、前記クライアントコンピュータから送信された印刷データを受信し、プロファイルデータに従って画像データの色処理を行うプロファイル色処理手段と、色処理されたデータをプリンタエンジンに出力する出力手段を備えたものである。
【００１１】
また、請求項５に係る印刷システムにあっては、前記コマンド生成手段は、ユーザがドライバなどのＵＩを用いて印刷画質を選択する選択手段と、選択された印刷画質に応じてコマンド生成するかどうかを判断し、必要と判断したときのみコマンド生成する手段を備えたものである。
【００１２】
また、請求項６に係る印刷システムにあっては、前記コマンド生成手段は、ユーザがドライバなどのＵＩを用いて印刷画質を選択する選択手段と、選択された印刷画質に応じてコマンド生成するかどうかを判断し、必要と判断したときのみコマンド生成する手段を備えたものである。
【００１３】
以上、本発明を整理して要約すれば以下の構成に集約できる。
【００１４】
（１）所定の通信プロトコルに従ってネットワーク通信を行うネットワークに接続された、各種サービスを提供するサーバコンピュータと前記サーバコンピュータにサービスを要求するクライアントコンピュータと前記クライアントコンピュータから送信される印刷データを印刷する印刷装置から構成される印刷システムにおいて、
前記クライアントコンピュータは、プロファイル生成要求コマンドを生成するコマンド生成手段とプロファイル生成要求コマンドと印刷データを前記サーバコンピュータに送信するプロファイル生成要求手段とプロファイルデータとともに印刷データを印刷装置に送信する印刷データ送信手段を備え、
前記サーバコンピュータは、前記クライアントコンピュータから送信された印刷データとプロファイル生成要求を受信すると、プロファイルを生成するプロファイル生成手段と、プロファイル生成手段により生成されたプロファイルを前記プロファイル生成要求をしたクライアントコンピュータに送信する送信手段を備え、
前記印刷装置において、前記クライアントコンピュータから送信されたプロファイルデータと印刷データを受信し、プロファイルデータに従って画像データの色処理を行うプロファイル色処理手段と、色処理されたデータをプリンタエンジンに出力する出力手段を備えることを特徴とする印刷システム。
【００１５】
（２）前記コマンド生成手段は、ユーザがドライバなどのＵＩを用いて印刷画質を選択する選択手段と、選択された印刷画質に応じてコマンド生成するかどうかを判断し、必要と判断したときのみコマンド生成することを特徴とする前記（１）記載の印刷システム。
【００１６】
（３）前記プロファイル生成手段は、受信した印刷データを解析し画像データを含んでいると判断した場合に、画像データを解析する画像解析手段により適切なプロファイルを生成することを特徴とする前記（１）記載の印刷システム。
【００１７】
（４）所定の通信プロトコルに従ってネットワーク通信を行うネットワークに接続された、各種サービスを提供するサーバコンピュータと前記サーバコンピュータにサービスを要求するクライアントコンピュータと前記クライアントコンピュータから送信される印刷データを印刷する印刷装置から構成される印刷システムにおいて、
前記クライアントコンピュータは、プロファイル生成要求コマンドを生成するコマンド生成手段とプロファイル生成要求コマンドと印刷データを前記サーバコンピュータに送信するプロファイル生成要求手段と、印刷データを印刷装置に送信する印刷データ送信手段を備え、
前記サーバコンピュータは、前記クライアントコンピュータから送信された印刷データとプロファイル生成要求を受信すると、プロファイルを生成するプロファイル生成手段と、プロファイル生成手段により生成されたプロファイルを受信した印刷データに添付し、前記プロファイル生成要求をしたクライアントコンピュータに送信する送信手段を備え、
前記印刷装置において、前記クライアントコンピュータから送信された印刷データを受信し、プロファイルデータに従って画像データの色処理を行うプロファイル色処理手段と、色処理されたデータをプリンタエンジンに出力する出力手段を備えることを特徴とする印刷システム。
【００１８】
（５）前記コマンド生成手段は、ユーザがドライバなどのＵＩを用いて印刷画質を選択する選択手段と、選択された印刷画質に応じてコマンド生成するかどうかを判断し、必要と判断したときのみコマンド生成することを特徴とする前記（４）記載の印刷システム。
【００１９】
（６）前記プロファイル生成手段は、受信した印刷データを解析し画像データを含んでいると判断した場合に、画像データを解析する画像解析手段によりそれぞれの画像データ毎に適切なプロファイルを生成することを特徴とする前記（４）記載の印刷システム。
【発明の効果】
【００２０】
以上説明したように、クライアントコンピュータにおいてユーザがアプリケーションソフトやプリンタドライバで特別な処理をすることなく、ＵＩで選択すると画像データに適したプロファイルを生成することができるようになり、ユーザの負担を軽減することができる。
【００２１】
また、プロファイル生成サーバにプロファイル生成を依頼するため、様々な画像イメージに対して最適なプロファイル生成が可能となり、最適な色処理により出力することができる。
【発明を実施するための最良の形態】
【００２２】
以下、添付の図面を用いて本発明の好適な実施例を説明する。
【００２３】
図１は本実施例のシステム構成である。インターネット上のプロファイル生成サーバと、ルータを通してのみ接続可能なイントラネットに接続されているクライアントコンピュータと印刷装置から構成される。クライアントコンピュータにおいては、ユーザの操作に従い、ネットワークを介して情報の入出力、印刷データの送信を行う。プロファイル生成サーバは、クライアントコンピュータからのサービス要求に従い、プロファイルデータを生成して、プロファイルデータをクライアントコンピュータに送信する。印刷装置は、クライアントコンピュータから送信された印刷データに対し、プロファイルデータに従って色処理し、印刷する。
【００２４】
図２は本実施例で説明する印刷システムのブロックである。
【００２５】
図２において１０１はクライアントコンピュータである。１０２はクライアントコンピュータ１０１の演算処理や制御を行う中央演算処理装置（ＣＰＵ）である。１０３はネットワークに繋がる印刷装置などのデバイスと情報の入出力を行うためのネットワークＩ／Ｆである。ネットワークＩ／Ｆ１０３を介して印刷装置２０１に印刷データが送信される。１０４はクライアントコンピュータ１０１における制御プログラムを格納しておくＲＯＭである。１０５はＣＰＵ１０２などが使用する一時記憶用のＲＡＭである。１０６はクライアントコンピュータのアプリケーションなどによって作成されたファイルを格納するハードディスク（ＨＤ）である。１０７はハードディスク１０６に格納され、プリンタで印刷するためのページ記述言語の命令群からなる印刷データである。１０８はハードディスク１０６に格納され、色処理をするための変換情報などから構成されるプロファイルデータである。
【００２６】
ＣＰＵ１０２、プリンタＩ／Ｆ１０３、ＲＯＭ１０４、ＲＡＭ１０５、ハードディスク１０６は、バス１０９により接続されている。
【００２７】
２０１は印刷装置である。２０２はネットワークに繋がるクライアントコンピュータなどのデバイスと情報の入出力を行うためのネットワークＩ／Ｆである。ネットワークＩ／Ｆ２０２を介してクライアントコンピュータ１０１からの印刷データを受信する。
【００２８】
２０３は様々な情報を一時格納するＲＡＭである。ＲＡＭ２０３は、クライアントコンピュータ１０１から送信され、ネットワークＩ／Ｆ２０２を介して受信した印刷データを格納する受信バッファ２０４、印刷データと共に受信したプロファイルデータを格納するプロファイルメモリ２０５、プリンタ内部の中間コードなどを格納するフレームバッファ２０６、中間コードを展開したデータを格納するラスタメモリ２０７からなる。
【００２９】
２０８は、印刷装置２０１におけるＣＰＵ２１１の制御コードを格納するＲＯＭである。２０９はＲＯＭ２０８に格納され、クライアントコンピュータ１０１から送信された印刷データのＲＧＢのカラーデータをＹＭＣＫのカラーデータにプロファイルメモリ２０５に格納されたプロファイルデータを使って色変換する色変換処理部である。２１０はＲＯＭ２０８に格納され、フレームバッファ２０６に格納された中間コードを展開してラスタメモリに格納する展開処理部である。
【００３０】
２１１は印刷装置２０１の演算処理や制御を行う中央演算処理装置（ＣＰＵ）である。２１２はプリンタエンジン２１３との信号の入出力を行うエンジンＩ／Ｆである。２１３はイメージデータに基づいて、周知の電子写真プロセスによって感光ドラム上に潜像を形成し、用紙に転写して定着し、印字を行うプリンタエンジンである。
【実施例１】
【００３１】
図４は、本実施例のクライアントコンピュータ１０１における処理を示すフローチャートである。クライアントコンピュータ１０１上で、ユーザが画像データをそのまま、あるいは文書中に挿入して印刷を実行する場合、印刷ドライバの印刷品質設定を表示し（Ｓ４０１）、ユーザからの設定待ちとなる（Ｓ４０２）。印刷品質設定は図３に示すＵＩを用いてユーザに印刷品質設定してもらう。ユーザが最高画質を選択した場合、プロファイル生成サーバにプロファイル生成を要求するため、プロファイル要求コマンドを作成する（Ｓ４０３）。作成したプロファイル要求コマンドと印刷データをプロファイル生成サーバにネットワークＩ／Ｆ１０３を介して送信し（Ｓ４０４）、プロファイルデータ受信待ちとなる（Ｓ４０５）。プロファイル生成サーバから送信されたプロファイルデータを受信すると、プロファイルデータをクライアントコンピュータ１０１のハードディスク１０６に格納する（Ｓ４０６）。格納したプロファイルデータを印刷データに添付し（Ｓ４０７）、プロファイルデータ添付の印刷データを印刷装置に送信する（Ｓ４０８）。一方、ユーザが最高画質以外を選択した場合は、印刷データを印刷装置に送信して処理を終了する（Ｓ４０９）。
【００３２】
図５は、本実施例のプロファイル生成サーバにおける処理を示すフローチャートである。
【００３３】
プロファイル生成サーバにおいて印刷データを受信する（Ｓ５０１）と、データ解析を行い（Ｓ５０２）、プロファイル生成コマンドかを調べ（Ｓ５０３）、プロファイル生成コマンドであった場合、印刷データ中から画像データを検出する（Ｓ５０４）。画像データが含まれていたら画像データに対し画像解析処理を行い（Ｓ５０５）、プロファイルデータを生成し（Ｓ５０６）、プロファイル生成コマンドを発行してきたクライアントコンピュータに送信する（Ｓ５０７）。一方、プロファイル生成コマンドでなかった場合は、その他の処理をして（Ｓ５０８）、終了する。
【００３４】
図１１は画像解析処理における補正方法の一例である。
【００３５】
まず、処理の高速化のために画像データをサブサンプリングして縮小し、画素数を減らす（ステップ１）。次に、画像データの各色成分ごとの階調値の度数分布（ヒストグラム）を求める（ステップ２）。すなわち、画像データが赤，緑，青の成分で表されている場合には、赤の階調値分布と、緑の階調値分布と、青の階調値分布とを求める。
【００３６】
そして、ステップ２で求めたヒストグラムを解析することにより、画像データが適切な階調特性を有しているか否かを判断し、必要に応じて色調補正処理を行う（ステップ３，４，５）。一般的な色調補正処理の内容としては、ダイナミックレンジ補正、色バランス補正、トーンカーブ補正などがある。これらの補正結果を元にプロファイルデータを生成する。
【００３７】
図６は、本実施例の印刷装置における処理を示すフローチャートである。
【００３８】
印刷装置において、データを受信する（Ｓ６０１）とデータを解析し（Ｓ６０２）、プロファイルデータであった場合（Ｓ６０４）は、色変換処理を変更し（Ｓ６０５）、再びデータ解析に戻る。プロファイルデータではなく、画像データであった場合（Ｓ６０６）は、画像データに対しプロファイルデータを用いた色変換処理を行い（Ｓ６０７）、生成した中間データをフレームバッファ２０６に格納し（Ｓ６０８）、データ解析に戻る。画像データでもなかった場合、その他の処理をし（Ｓ６０９）、データ解析に戻る。データ解析において排紙コマンドを認識したら（Ｓ６０３）、フレームバッファ２０６の中間コードをラスタメモリ２０７に展開し、エンジンＩ／Ｆ２１２を介してプリンタエンジン２１３にデータを転送し、印刷する（Ｓ６１０）。
【００３９】
図７は、プロファイル生成サーバ、クライアントコンピュータで生成されるデータの一例である。プロファイル生成サーバにおいては、受信した印刷データを画像解析処理に入力すると３つの画像データに対して画像解析処理を行い、プロファイルを生成し、生成したプロファイルをクライアントコンピュータに出力する。また、クライアントコンピュータにおいては、印刷データにプロファイル生成サーバから送信されたプロファイルを添付する。
【実施例２】
【００４０】
実施例１では、印刷データに対しプロファイルデータを添付して印刷しているが、本実施例では、さらにそれぞれの画像データに対しプロファイルデータを添付して、それぞれの画像データに適したプロファイルデータにより色処理を行い、より最適な色により出力することを可能にする。
【００４１】
図８は、本実施例のクライアントコンピュータ１０１における処理を示すフローチャートである。クライアントコンピュータ１０１上で、ユーザが画像データをそのまま、あるいは文書中に挿入して印刷を実行する場合、印刷ドライバの印刷品質設定を表示し（Ｓ８０１）、ユーザからの設定待ちとなる（Ｓ８０２）。印刷品質設定は図３に示すＵＩを用いてユーザに印刷品質設定してもらう。ユーザが最高画質を選択した場合、プロファイル生成サーバにプロファイル生成を要求するため、プロファイル要求コマンドを作成する（Ｓ８０３）。作成したプロファイル要求コマンドと印刷データをプロファイル生成サーバにネットワークＩ／Ｆ１０３を介して送信し（Ｓ８０４）、印刷データの受信待ちとなる（Ｓ８０５）。プロファイル生成サーバから送信された印刷データを受信すると、印刷データを指定の印刷装置に送信する（Ｓ８０６）。一方、ユーザが最高画質以外を選択した場合は、印刷データを印刷装置に送信して処理を終了する（Ｓ８０７）。
【００４２】
図９は、本実施例のプロファイル生成サーバにおける処理を示すフローチャートである。プロファイル生成サーバにおいてデータを受信する（Ｓ９０１）と、データを解析し（Ｓ９０２）、プロファイル生成コマンドかを調べ（Ｓ９０３）、プロファイル生成コマンドであった場合、印刷データ中から画像データを検出する（Ｓ９０４）。画像データが含まれていたら、入力時情報添付の画像データかを調べ（Ｓ９０５）、入力時情報添付の画像データは画像解析処理１（Ｓ９０６）で、入力時情報がない画像データは画像解析処理２（Ｓ９０７）で画像解析し、プロファイルデータを生成する（Ｓ９０８）。生成したプロファイルデータを画像データに添付する（Ｓ９０９）。全ての画像データに対して同様な処理を行い、各画像データにプロファイルデータを添付した印刷データを発行してきたクライアントコンピュータ１０１に送信する（Ｓ９１０）。一方、プロファイル生成コマンドでなかった場合、その他の処理をして（Ｓ９１１）終了する。
【００４３】
印刷装置の処理については実施例１の図６のフローチャートと同じである。
【００４４】
図１０は、プロファイル生成サーバで生成されるデータの一例である。受信した印刷データの画像データ１、３は画像解析処理２によりプロファイルが生成され、また入力時情報添付の画像データ２は画像解析処理１によりプロファイルが生成され、それぞれの画像データにプロファイルデータが添付される。
【００４５】
図１２は画像解析処理における補正方法の一例である。
【００４６】
まず、処理の高速化のために画像データをサブサンプリングして縮小し画素数を減らす（ステップ１）。次に、画像データの各色成分ごとの階調値の度数分布（ヒストグラム）を求める（ステップ２）。すなわち、画像データが赤，緑，青の成分で表されている場合には、赤の階調値分布と、緑の階調値分布と、青の階調値分布とを求める。ステップ２により生成されたヒストグラムを解析し、デジタルカメラなどにより入力するデータに添付する露出やシャッタースピードなどの入力時情報などを加味し（ステップ３）、プロファイルデータを生成する。
【図面の簡単な説明】
【００４７】
【図１】本発明のシステム構成図
【図２】本発明の印刷システムのブロック図
【図３】本発明の印刷品質設定を行うＵＩを示す図
【図４】実施例１のクライアントコンピュータにおける処理を示すフローチャート
【図５】実施例１のプロファイル生成サーバにおける処理を示すフローチャート
【図６】実施例１の印刷装置における処理を示すフローチャート
【図７】（ａ），（ｂ）実施例１の印刷システムにおいて処理されるデータ例を示す図
【図８】実施例２のクライアントコンピュータにおける処理を示すフローチャート
【図９】実施例２のプロファイル生成サーバにおける処理を示すフローチャート
【図１０】（ａ），（ｂ）実施例２の印刷システムにおいて処理されるデータ例を示す図
【図１１】実施例１の印刷システムにおける画像解析処理フロー
【図１２】実施例２の印刷システムにおける画像解析処理フロー
【符号の説明】
【００４８】
１０１  クライアントコンピュータ
１０２  中央演算処理装置（ＣＰＵ）
１０３  ネットワークＩ／Ｆ
１０４  ＲＯＭ
１０５  ＲＡＭ
１０６  ハードディスク（ＨＤ）
１０７  印刷データ
１０８  プロファイルデータ
１０９  バス
２０１  印刷装置
２０２  ネットワークＩ／Ｆ
２０３  ＲＡＭ
２０４  受信バッファ
２０５  プロファイルメモリ
２０６  フレームバッファ
２０７  ラスタメモリ
２０８  ＲＯＭ
２０９  色変換処理部
２１０  展開処理部
２１１  中央演算処理装置（ＣＰＵ）
２１２  エンジンＩ／Ｆ
２１３  プリンタエンジン
【図１】
2005135073.tif 000003
【図２】
2005135073.tif 000004
【図３】
2005135073.tif 000005
【図４】
2005135073.tif 000006
【図５】
2005135073.tif 000007
【図６】
2005135073.tif 000008
【図７】
2005135073.tif 000009
【図８】
2005135073.tif 000010
【図９】
2005135073.tif 000011
【図１０】
2005135073.tif 000012
【図１１】
2005135073.tif 000013
【図１２】
2005135073.tif 000014